(57)【要約】【課題】組み立てが容易で形状が安定しており、強度が高い、主に段ボール製の飾り段を提供する【解決手段】背面部材と下り階段形の側面部材と前面部材と上り階段形の側面部材とを順次折り曲げることによって構成し、かつ両端部を繋いで四角筒状にした垂直部材と、前記前面部材の上部を延設して設けた１段目の棚板と、前記背面部材の上部を延設して設けた最上段の棚板と、３段以上の飾り段に於いては前記１段目の棚板を延設して中間棚板とするかあるいは前記最上段の棚板を延設して中間棚板とするかあるいは別に設けた中間棚板を加えてなり、前記１段目棚板及び２段目以上を構成する棚板の左右方向の幅が、前記前面部材の幅より大きくし、幅の違いを斜線または曲線で繋いだ。【選択図】図１
2011161119.tif 000002
【特許請求の範囲】
【請求項１】
段ボール紙又はこれに類似した平面材からなる２段以上の飾り段であって、背面部材（１０）と、下り階段形の側面部材（１１ａ）と、前面部材（１２）と、上り階段形の側面部材（１１ｂ）とを順次折り曲げて構成し、かつ両端部を繋いで四角筒状にした垂直部材（２）と、前記前面部材（１２）の上部を延設して設けた１段目の棚板（１３）と、前記背面部材の上部を延設して設けた最上段の棚板（１５）と、３段以上の飾り段に於いては前記１段目の棚板（１３）を延設して中間棚板（１４）とするかあるいは前記最上段の棚板（１５）を延設して中間棚板（１４）とするかあるいは別に設けた中間棚板（１４）を加えてなり、前記１段目棚板（１３）及び２段目以上を構成する棚板（１５、又は１４と１５）の左右方向の幅（Ａ）が、前記前面部材の幅（Ｂ１）より大きいことを特徴とする組み立て式飾り段。
【請求項２】
前記前面部材（１０）と前記１段目棚板（１３）との連結部における左右方向の幅の違いを、前記前面部材の上部両側の縁をそれぞれ斜線（４０ａ）又は曲線（４０ｂ）に形成することにより繋いであることを特徴とする請求項１に記載した組み立て式飾り段。
【発明の詳細な説明】
【技術分野】
【０００１】
本発明は、段ボール紙やプラスチック段ボールやボール紙等の平面材を材料とした飾り段において、容易に組み立て可能でリサイクル性に優れた構造に関する。
【背景技術】
【０００２】
従来、仮祭壇等に用いる安価な組み立て式の段ボール製棚台が考案されている（例えば、特許文献１、２）。
しかし、特許文献１、２の構造では、棚板と基部板が分離されているので、部品点数が多く、また、基部板の前面部が空いてることで梁部材を取り付ける際に、基部板がふらつき、組み立てが容易でなく時間が掛かっていた。
【０００３】
また、材料をスリットにはめ込むだけで多くの部品が連結されているので、必ずしも強度が十分ではなかった。
【先行技術文献】
【特許文献】
【０００４】
【特許文献１】実用新案登録第３０４８３２２号公報
【特許文献２】実用新案登録第３１２７９９２号公報
【発明の概要】
【発明が解決しようとする課題】
【０００５】
本発明は、従来品の上記の問題点を解決するためになされたものであり、組み立てが容易で形状が安定しており、強度が高い、主に段ボール製の飾り段を提供することである。
【課題を解決するための手段】
【０００６】
段ボール紙またはこれに類似した平面材からなる２段以上の飾り段であって、背面部材と下り階段形の側面部材と前面部材と上り階段形の側面部材とを順次折り曲げることによって構成し、かつ両端部を繋いで四角筒状にした垂直部材と、前記前面部材の上部を延設して設けた１段目の棚板と、前記背面部材の上部を延設して設けた最上段の棚板と、３段以上の飾り段に於いては前記１段目の棚板を延設して中間棚板とするかあるいは前記最上段の棚板を延設して中間棚板とするかあるいは別に設けた中間棚板を加えてなり、前記１段目棚板及び２段目以上を構成する棚板の左右方向の幅が、前記前面部材の幅より大きいことを特徴とする組み立て式飾り段である。
【０００７】
前記飾り段において、前記前面部材と前記１段目棚板との連結部における左右方向の幅の違いを、前記前面部材の上部両側の縁をそれぞれ斜線又は曲線に形成することにより繋いだ。
【発明の効果】
【０００８】
垂直部材は、四角形の筒状なので、平行四辺形状につぶすか、又は双方の側面部材のほぼ中央で谷折りにして８の字状につぶすことにより薄い板状にすることができ、この板状の状態から一瞬にして長方形に復元させることができる。その後、垂直部材に繋がっている棚板を折り曲げて、それぞれのスリットに挿入すれば、短時間で組立作業が完了する。
【０００９】
前面部材の幅と１段目棚板の幅の違いを斜線又は曲線で繋ぐことによって、正面から見た時に不恰好な梁部材を隠す事が出来るため椅麗に見せることができる。
【００１０】
棚板の幅より前面部材と背面部材の幅を小さくし、かつ材料の重なり部分を少なくしたので材料が節約でき低コスト化に繋がる。
【００１１】
垂直部材を四角形の筒状に繋いだので、従来品のように基部板の前面がふらつくことがなく、垂直部材と棚板を一体化したので強度が高い。
【００１２】
垂直部材を筒状に繋ぐ接続部は、糊付けによって十分な強度が得られるので、分解時に怪我をする恐れがなく、リサイクル性に優れている。
【図面の簡単な説明】
【００１３】
【図１】本発明の飾り段の展開図
【図２】同飾り段の補強に用いる梁部材の展開図
【図３】本発明の飾り段の正面側斜視図
【図４】同背面側斜視図
【図５】同飾り段の組み立て方法を示す斜視図
【図６】同飾り段に用いられる梁部材の斜視図
【図７】本発明の飾り段の組み立て方法を示す斜視図（２段の例）
【図８】前面部材の幅と１段目棚板の幅の違いを曲線で繋いだ例
【発明を実施するための形態】
【００１４】
次に、図面に基づいて本発明の実施の形態を説明する。
図1は本発明の展開図であり、図２はのりしろ１８の部分に糊付けし端部１９に貼り付けて四角筒型の垂直部材２を作り、各折れ線部分で折って組み立てする方法を示している。
また、図２は飾り段の補強用梁部材３０の展開図、図６は梁部材の斜視図である。両部材のスリット３１の外側に斜線部４２は必須ではないが、設けた方が梁部材が見えにくくなるので好ましい。
図３は本発明の飾り段の正面側斜視図であり、図４は同背面側斜視図である。
図３は図５の上縁スリット２１に図６の梁部材３０のスリット３１を挿入し、段縁スリット２２に棚板の前面壁部１６と背面壁部１７を挿入した状態である。
【００１５】
図１において、背面部材１０に折れ線５０を介して下り階段形の側面部材１１ａが繋がり、側面部材１１ａに折れ線５１を介して前面部材１２が繋がり、前面部材１２に折れ線５２を介して上り階段形の側面部材１１ｂが繋がり、側面部材１１ｂの端部にのりしろ１８が設けられ、のりしろ１８は背面部材１０の端部１９に糊付けされて四角筒状の垂直部材が構成される。
なお、のりしろの位置は４角形のどの角でも良いが、外観的には背面部材１０の一方の辺に連結するのが好ましい。
【００１６】
前面部材１２の上部に、折れ線を介して１段目の棚板１３を繋げ、さらにそれぞれ折れ線を介して背面壁部１７、前面壁部１６、中間棚板１４、背面壁部１７を繋げてある。
同様に、背面部材１０の上部に、折れ線を介して最上段の棚板１５、前面壁部１６をつなげてある。
ここで、１段目の棚板１３と最上の棚板１５は、それぞれ前面部材１２と背面部材１０に一体的に繋ぐことで材料の節約と強度の確保が可能になる。
中間棚板１４は、一体でも別体でも必要な材料は同じであり、強度への影響もさほどではないので必ずしも一体にする必要は無い。
【００１７】
前面部材１２の幅Ｂ１および背面部材１０の幅Ｂ２より棚板の幅Ａを広くすることにより、棚板側のスリット２０を側面部材のスリット２２に挿入可能になり、強度を増すことができる。
また折れ線５１と５２で構成される前面部材の幅Ｂ１と、棚板の幅Ａの差を繋ぐために、斜めの切断線４０ａを前面部材の上部両縁に設けた。
こうすることにより、正面から見たときに材料の厚さ方向の断面が見えなくなり、例えば材料が段ボールであることが判りにくくなり、かつ、必要に応じて補強用の梁を装着した際に、梁の端部が見えにくくなるという効果がある。
【００１８】
前面部材の幅Ｂ１と棚板の幅Ａの違いを繋ぐ切断線としては、図８（ａ）に示したように１／４円弧形や、図８（ｂ）に示したようにＳ字曲線にすることによってデザイン性を高めることができる。
【００１９】
前面部材の幅Ｂ１と背面部材の幅Ｂ２は同じにするのが一般的であるが、強度があまり必要でない場合は、Ｂ１＞Ｂ２にすることもできる。
この場合材料の必要長さＣが小さくなるのでコスト低減になる。
尚、図７は２段の飾り段の例である。
【００２０】
本発明は仮祭壇や雛人形の台やディスプレイに使われ、紙やプラスチックなどが材料なので軽量で安価で組み立ておよび解体も容易に出来る。
【００２１】
前記組み立ての逆の手順を行なえば容易に解体でき、折れ線で畳めば薄くなるので保管、輸送の場所をとらない。
【符号の説明】
【００２２】
１      段ボール製飾り段
２      垂直部材
１０    背面部材
１１ａ  側面部材（下り階段形）
１１ｂ  側面部材（上り階段形）
１２    前面部材
１３    １段目の棚板
１４    中間棚板
１５    最上段の棚板
１６    棚板の前面壁部
１７    棚板の背面壁部
１８    端部と連結用のりしろ
１９    垂直部材の端部
２０    棚板側スリット
２１    上縁スリット
２２    段縁スリット
３０    梁部材
３１    梁側スリット
４０ａ  前面部材の幅と１段目棚板の幅の違いを繋ぐ斜線部
４０ｂ  前面部材の幅と１段目棚板の幅の違いを繋ぐ曲線部
４１    棚板のスリット外側に設けた斜線部
４２    梁部材のスリット外側に設けた斜線部
５０    折線
５１    折線
５２    折線
Ａ    棚板の左右方向幅
Ｂ１  前面部材の幅
Ｂ２  背面部材の幅
Ｃ    必要材料長さ
【図１】
2011161119.tif 000003
【図２】
2011161119.tif 000004
【図３】
2011161119.tif 000005
【図４】
2011161119.tif 000006
【図５】
2011161119.tif 000007
【図６】
2011161119.tif 000008
【図７】
2011161119.tif 000009
【図８】
2011161119.tif 000010